(57)【要約】【課題】  従来の発音学においては、母音を発音する際に、開口の大きさ、発声における利用舌部の位置、そして、口を丸める動作によって説明しているため、英語発音を始めて学ぶ一般の人（特に日本人）が習得することは極めて困難であった。【解決手段】  英語・米語において高頻度で利用される１４の母音発音を、５つの「顎の位置」と３つの「開口に際する唇の横幅」の組み合わせで習得する。【選択図】図１
2010072606.tif 000002
【特許請求の範囲】
【請求項１】
英語母音の発音を、「顎の位置」と「開口に際する唇の横幅」の組み合わせで習得する、発音学習法。
【発明の詳細な説明】
【技術分野】
【０００１】      この発明は、英語の母音の発音を、従来の発音学に対し、より簡便・容易に学習する方法に関する。
【背景技術】
【０００２】      従来の英語の発音学では、英語母音の発音は図２にあるように、開口の大きさ、発声における利用舌部の位置、そして、口を丸める動作の組み合わせによって説明されている。
【非特許文献１】  Ｈａｎｄｂｏｏｋ  ｏｆ  ｔｈｅ  Ｉｎｔｅｒｎａｔｉｏｎａｌ  Ｐｈｏｎｅｔｉｃ  Ａｓｓｏｃｉａｔｉｏｎ  Ａ  Ｇｕｉｄｅ  ｔｏ  ｔｈｅ  Ｕｓｅ  ｏｆ  ｔｈｅ  Ｉｎｔｅｒｎａｔｉｏｎａｌ  Ｐｈｏｎｅｔｉｃ  Ａｌｐｈａｂｅｔ  Ｃｏｒｐｏｒａｔｅ  Ａｕｔｈｏｒ  Ｉｎｔｅｒｎａｔｉｏｎａｌ  Ｐｈｏｎｅｔｉｃ  Ａｓｓｏｃｉａｔｉｏｎ  （ＩＳＢＮ−１３：９７８０５２１６３７５１０  ｜  ＩＳＢＮ−１０：０５２１６３７５１１）  Ｐｕｂｌｉｓｈｅｄ  Ｊｕｌｙ  １９９９
【発明の開示】
【発明が解決しようとする課題】
【０００３】  しかしながら、日本人を代表とする母音数が少ない言語圏の人にとっては、自国言語において、母音の発音体系を発音学として学習した経験がないものが大多数のため、この母音の発音が大きな障害となり、英語におけるコミュニケーションに大きな支障をきたす原因となっている。【０００４】  特に、日本人においては、「あ」「い」「う」「え」「お」の５個の母音のみしか存在しないことから、標準的な英語発音学による母音の発音の学習を習得することはきわめて困難であり、大多数の日本人の英語母音発音はコミュニケーションが成り立たないレベルの問題を引き起こしている。【０００５】  また、従来の発音学においては、母音を発音する際に、開口の大きさ、発声における利用舌部の位置、そして、口を丸める動作によって説明しているため、発音学を始めて学ぶ一般の人（特に日本人）にとっては、普段慣れていないような複雑な口の動きの組み合わせを実現させなくてはいけないため、その学習自体を躊躇させることとなっている。【０００６】  そこで、この発明は、発音学を専門的に学んでいない一般人（特に日本人）にとっても、より簡便的な学習法により、英語・米語の母音の発音を、従来の発音学による発音声とほぼ同等のレベルで実現することができるようにすることを課題とする。
【課題を解決するための手段】
【０００７】  以上の課題を解決するために、第一発明は、英語・米語において高頻度で利用される１４の母音発音を、「５つの顎の位置」と「３つの開口に際する唇の横幅」の組み合わせで習得する。
【発明の効果】
【０００８】  第一発明により、英語・米語の母音の発音を、発音学を専門的に学んでいない一般人（特に日本人）が、従来の発音学による発音声とほぼ同等のレベルで実現することができるようになる。
【発明を実施するための最良の形態】
【０００９】  この発明の実施形態を図１に示す。
縦軸の「顎の位置」１〜５は、発音する際の開口に際する正確な顎の位置を示す。【００１０】  １は音声が唇の間から出せる最も高い顎の位置（つまり開口は最小縦幅）、５は開くことができるもっとも低い顎の位置（つまり開口は最大縦幅）の位置とする。
２から４は、１と５の状態を両極端として、その間を４等分した中庸の顎の位置を示し、２がもっとも１に近く、次いで３、そして４がもっとも５に近い状態を示す。【００１１】  横軸の「唇の横幅」におけるＳｍｉｌｉｎｇ、Ｎｅｕｔｒａｌ、Ｒｏｕｎｄの３つは、母音の発音における開口の際、唇の両端を左右に開く（閉じる）位置を示す。【００１２】  Ｓｍｉｌｉｎｇは、弛緩した唇の状態よりも、唇の両端を意図的に左右に引き伸ばした状態を示す。
Ｎｅｕｔｒａｌは、弛緩した状態と同様に唇の両端を中庸の位置に保った状態を示す。
Ｒｏｕｎｄは、弛緩した唇の状態よりも、唇の両端を意図的に中央よりにすぼめた状態を示す。【００１３】  以上の５個の縦軸「顎の位置」、３個の横軸「唇の横幅」の組み合わせは理論的には１５個存在するが、そのうち図１に示す１４個が英語・米語の母音の発音における代表的な発音記号と対応する。【００１４】  「実施形態の効果」
この実施形態により、英語・米語において一般的に使用される母音の発音を、コミュニケーションに問題がない形で実現することができる。  特に、発音学の教育を受けた経験のない人（特に日本人）であっても、容易に、英語・米語の母音の発音をネイティブからも問題なく識別されうる発音として実現することができる。【００１５】  「他の実施形態」
本発明の実施形態を、長母音・重母音に適用する際には、本発明における発音法に則る中で、その継続時間を変化させる（長母音）、或いは、複数の発音を組み合わせる（重母音）ことによって、実現することができる。
【実施例】
【００１６】  「顎の位置」１において、「唇の横幅」Ｓｍｉｌｉｎｇの母音を持つ典型的な単語として、”Ｈｅ”がある。
「顎の位置」１において、「唇の横幅」Ｎｅｕｔｒａｌは本学習法では使用しない。
「顎の位置」１において、「唇の横幅」Ｒｏｕｎｄの母音を持つ典型的な単語として、”Ｗｈｏ”がある。【００１７】  「顎の位置」２において、「唇の横幅」Ｓｍｉｌｉｎｇの母音を持つ典型的な単語として、”Ｈｉｔ”がある。
「顎の位置」２において、「唇の横幅」Ｎｅｕｔｒａｌの母音を持つ典型的な単語として、”Ｔｈｅ”がある。
「顎の位置」２において、「唇の横幅」Ｒｏｕｎｄの母音を持つ典型的な単語として、”Ｔｏｏｋ”がある。【００１８】  「顎の位置」３において、「唇の横幅」Ｓｍｉｌｉｎｇの母音を持つ典型的な単語として、”Ｂｅｄ”がある。
「顎の位置」３において、「唇の横幅」Ｎｅｕｔｒａｌの母音を持つ典型的な単語として、”Ｂｉｒｄ”がある。
「顎の位置」３において、「唇の横幅」Ｒｏｕｎｄの母音を持つ典型的な単語として、”Ｒｏｗ”がある。【００１９】  「顎の位置」４において、「唇の横幅」Ｓｍｉｌｉｎｇの母音を持つ典型的な単語として、”Ｃａｔ”がある。
「顎の位置」４において、「唇の横幅」Ｎｅｕｔｒａｌの母音を持つ典型的な単語として、”Ｂｕｇ”がある。
「顎の位置」４において、「唇の横幅」Ｒｏｕｎｄの母音を持つ典型的な単語として、”Ｍｏｒｅ”がある。【００２０】  「顎の位置」５において、「唇の横幅」Ｓｍｉｌｉｎｇの母音を持つ典型的な単語として、”Ｈａｒｄ”がある。
「顎の位置」５において、「唇の横幅」Ｎｅｕｔｒａｌの母音を持つ典型的な単語として、”Ｓｐａ”がある。
「顎の位置」５において、「唇の横幅」Ｒｏｕｎｄの母音を持つ典型的な単語として、”Ｐｏｐ”（イギリス英語発音）がある。
【図面の簡単な説明】
【００２１】
【図１】この発明の実施形態を示す母音発音表である。
【図２】従来、国際標準となっている母音発音の実施形態を示す発音表である。
【図１】
2010072606.tif 000003
【図２】
2010072606.tif 000004